(57)【要約】【課題】  遠隔監視センタ３への電話回線５の輻輳を防ぎ、短時間に各エレベータの運行状況に関する情報を取得することにある。【解決手段】  複数のエレベータ制御装置１，…に電話回線を介して接続された複数の監視装置２，…と、予め情報収集ルーティング情報が登録され、サービス機関８から地震情報を受信すると、複数の監視装置２，…の中から任意に代表と定める監視装置の中の代表監視装置２ａに対して情報収集ルーティング情報で定める情報収集の順番を表す情報を送信する遠隔監視センタ３と、この情報収集の順番を表す情報を受信すると、地震検出情報を取得して情報収集の順番を表す情報とともに、順番を表す情報に従って管理下にあるエレベータ制御装置に渡して地震検出情報を取得させる代表監視装置２ａ，２ｂとを備え、最後のエレベータ制御装置が取得した全地震情報を遠隔監視センタ３に返送する。【選択図】図１
2008056426.tif 000002
【特許請求の範囲】
【請求項１】
広域にわたって各建物に設置される複数のエレベータ制御装置から通信回線を介してエレベータの運行状況に関する情報を収集し、各エレベータの運行状況を監視するエレベータの遠隔監視システムにおいて、
前記複数のエレベータ制御装置に前記通信回線を介して接続され、該当する複数のエレベータ制御装置に関する情報を取得する複数の監視装置と、
これら複数の監視装置に前記通信回線を介して接続され、前記複数のエレベータ制御装置に関する情報の収集の順番を定めた情報収集ルーティング情報が登録され、既存のインターネット上のサービス機関から地震情報を受信したとき、前記情報収集ルーティング情報に規定される順番を表す情報を送信する遠隔監視センタと、
この遠隔監視センタから情報収集ルーティング情報に規定される順番を表す情報を受信すると、地震の震度レベル情報を取得して順番を表す情報とともに、当該順番を表す情報に従って自身の管理下にあるエレベータ制御装置に渡す前記複数の監視装置の中の任意に代表と定めた代表監視装置とを備え、
前記順番を表す情報を受け取ったエレベータ制御装置は地震の震度レベル情報を取得して前記順番を表す情報に従って他のエレベータ制御装置に順次受け渡していき、最後のエレベータ制御装置が前記各装置で取得した地震の震度レベル情報を前記遠隔監視センタに返送することを特徴とするエレベータの遠隔監視システム。
【請求項２】
請求項１に記載のエレベータの遠隔監視システムにおいて、
前記遠隔監視センタは、前記複数の監視装置の中から任意に代表と定める複数の代表監視装置に関する情報及び当該代表監視装置ごとに情報収集ルーティング情報を格納するルーティング情報格納手段と、既存のインターネット上のサービス機関から地震情報を受信したとき、前記代表監視装置ごとに定めた情報収集ルーティング情報に規定される順番を表す情報を、対応する各代表監視装置に送信する手段とを備えたことを特徴とするエレベータの遠隔監視システム。
【請求項３】
請求項１または請求項２に記載のエレベータの遠隔監視システムにおいて、
前記遠隔監視センタは、前記情報収集ルーティング情報に規定される順番を表す情報を受け渡すに当たり、当該順番を表す情報を書き込んだパケットを生成するパケット生成手段を設け、パケット通信によって前記順番を表す情報を受け渡していくことを特徴とするエレベータの遠隔監視システム。
【請求項４】
請求項３に記載のエレベータの遠隔監視システムにおいて、
前記パケット生成手段で生成されるパケットには、前記情報収集ルーティング情報に規定される順番を表す情報に従い、直列的に前記代表監視装置及び当該代表監視装置の管理下とする複数のエレベータ制御装置の電話番号を格納する電話番号格納部及び前記代表監視装置及び当該代表監視装置の管理下にある前記エレベータ制御装置に設置される地震計から得られる地震の震度レベル情報を書き込む地震情報格納部を有することを特徴とするエレベータの遠隔監視システム。
【請求項５】
請求項３に記載のエレベータの遠隔監視システムにおいて、
前記パケット生成部で生成されるパケットは、情報収集ルーティング情報に基づいて前記代表監視装置を頂点とする階層形式の順序に従って前記代表監視装置及び当該代表監視装置の管理下にある複数のエレベータ制御装置の電話番号を格納する電話番号格納部及び当該代表監視装置及び前記エレベータ制御装置に設置される地震計から得られる地震の震度レベル情報を書き込む地震情報格納部を設けたことを特徴とするエレベータの遠隔監視システム。
【請求項６】
請求項１ないし請求項５の何れか一項に記載のエレベータの遠隔監視システムにおいて、
前記代表監視装置及び当該代表監視装置の管理下にあるエレベータ制御装置は、前記情報収集ルーティング情報に規定する順番を表す情報に従って前記電話番号をダイヤルし、該当する前記エレベータ制御装置との間で通信回線が確立しないとき、前記パケットの該当エレベータ制御装置のエリアに通信路未確立データを書き込み、次の順位のエレベータ制御装置にパケットを渡す手段を設け、後続のエレベータ制御装置が前記未確立状態にあるエレベータ制御装置に対してパケットの受け渡して地震の震度レベル情報の書込みを促すことを特徴とするエレベータの遠隔監視システム。
【発明の詳細な説明】
【技術分野】
【０００１】
本発明は、地震等による災害発生時、公衆通信回線を介して多数のエレベータの運行状況を監視するエレベータの遠隔監視システムに関する。
【背景技術】
【０００２】
一般に、エレベータの遠隔監視システムは、遠隔監視センタとエレベータの運行状況を監視する各エレベータ監視装置とが電話回線を介して情報のやり取りをすることにより、各エレベータの運行状況を監視する構成である。
【０００３】
しかしながら、このような遠隔監視システムは、特に地震等の発生によるエレベータの運行障害が発生した場合、あるエリア内の各エレベータ監視装置からほぼ同じ時間帯に遠隔監視センタへエレベータの異常状況を通報することになる。このように各エレベータ監視装置から電話回線を通して音声によるデータ通信を一斉に行った場合、回線数を増設しても各電話回線が輻輳し、エレベータの異常状況を遠隔監視センタに迅速に通報できない。その結果、遠隔監視センタは多数のエレベータの運行状況を迅速、かつ、正確に把握できなくなる。また、各エレベータ監視装置が遠隔監視センタに対して早急に通報できない状態が発生すると、各エレベータの設置場所に出向く保守員の派遣が遅れ、正常復旧するまでに長時間を要し、エレベータ利用者に多大な迷惑をかける問題がある。
【０００４】
そこで、従来、遠隔監視センタと各地域ごとの地域監視装置とを電話回線で接続し、各地域監視装置には該当地域内に存在する複数のエレベータ監視装置が接続される。地震発生等による運行障害が発生した時、遠隔監視センタは、電話回線を経由して各地域ごとの地域監視装置に各エレベータの運行状況データの収集指令を送信する。各地域監視装置は、自己の管理下にある複数のエレベータ監視装置から電話回線を使用して各エレベータの運行状況データを収集し、遠隔監視センタに送信する。よって、遠隔監視センタは、各地域監視装置から地域ごとにまとまった運転状況データを収集できる（特許文献１）。
【特許文献１】特開平０６−３３６３８１号公報（図１参照）
【発明の開示】
【発明が解決しようとする課題】
【０００５】
しかし、以上のような特許文献１の技術では、地域の広狭にもよるが、例えば小地域ごとに地域監視装置を設置した場合、遠隔監視センタと各地域監視装置との間で電話回線の輻輳が発生する。また、広い地域ごとに地域監視装置を設置した場合、各地域監視装置の管理下にあるエレベータ監視装置の数に大きなバラツキが生ずる。結果としてエレベータの異常状況を遠隔監視センタに迅速に通報できなくなる。
【０００６】
さらに、各地域ごとに地域監視装置を設置した場合、各地域監視装置は、地域内のエレベータ監視装置の数の影響を受けるだけでなく、常に地域内の全てのエレベータ監視装置からエレベータの運行状況データを収集し終わるまで、遠隔監視センタに必要なデータを送信できないといった問題が出てくる。
【０００７】
さらに、遠隔監視センタは、本来最も広い地域であるとか、或いは管理下にあるエレベータ監視装置の数が多い場合、該当する地域監視装置から速やかにエレベータの運行状況データを取得するのが望ましい。しかし、特許文献１の技術による遠隔監視システムでは、逆の結果となり、前述したように各エレベータの設置場所に出向く保守員の派遣が遅れ、正常復旧するまでに長時間かかる問題がある。
【０００８】
さらに、遠隔監視センタは、各地域監視装置からエレベータの運行状況データを受け取る機能しか備えていない。その結果、遠隔監視センタ自体に自由度がなく、監視体制を柔軟に変更できない問題がある。
【０００９】
本発明は上記事情に鑑みてなされたもので、遠隔監視センタの監視機能を柔軟に変更可能とし、よって、遠隔監視センタと複数の代表監視装置との間の通信回線の輻輳を防ぎ、遠隔監視センタが短時間にエレベータの運行状況データを取得し、各エレベータの運行状況を判断可能とするエレベータの遠隔監視システムを提供することを目的とする。
【課題を解決するための手段】
【００１０】
上記課題を解決するために、本発明は、広域にわたって各建物に設置される複数のエレベータ制御装置から通信回線を介してエレベータの運行状況に関する情報を収集し、各エレベータの稼動状況を監視するエレベータの遠隔監視システムにおいて、前記複数のエレベータ制御装置に前記通信回線を介して接続され、該当する複数のエレベータ制御装置に関する情報を取得する複数の監視装置と、これら複数の監視装置に前記通信回線を介して接続され、前記複数のエレベータ制御装置に関する情報の収集の順番を定めた情報収集ルーティング情報が登録され、既存のインターネット上のサービス機関から地震情報を受信したとき、前記複数の監視装置の中から任意に代表と定めた前記監視装置に対して前記情報収集ルーティング情報に規定される順番を表す情報を送信する遠隔監視センタと、この遠隔監視センタから情報収集ルーティング情報に規定される順番を表す情報を最初に受け取り、地震の震度レベル情報を取得して前記遠隔監視センタに返送するとともに、当該受信した順番を表す情報に従って自身の管理下のエレベータ制御装置に受け渡す前記任意に代表と定められた代表監視装置とを備え、前記順番を表す情報を受け取ったエレベータ制御装置は地震の震度レベル情報を取得して前記順番を表す情報に従って他のエレベータ制御装置に順次受け渡していき、最後のエレベータ制御装置が前記各装置で取得した地震の震度レベル情報を前記遠隔監視センタに返送する構成である。
【００１１】
なお、前記遠隔監視センタとしては、複数の監視装置の中から任意に代表と定めた複数の代表監視装置に関する情報及び当該代表監視装置ごとに情報収集ルーティング情報を格納するルーティング情報格納手段と、既存のインターネット上のサービス機関から地震情報を受信したとき、前記代表監視装置ごとに定めた情報収集ルーティング情報に規定される順番を表す情報を、対応する各代表監視装置に送信する手段とを備えた構成である。
【００１２】
本発明は、前記情報収集ルーティング情報に規定される順番を表す情報を受け渡すに当たり、当該順番を表す情報をパケット化し、パケット通信によって受け渡しを行う構成であってもよい。
【００１３】
前記パケットとしては、前記情報収集ルーティング情報に規定される順番を表す情報に従って直列的に前記代表監視装置及び当該代表監視装置の管理下とする複数のエレベータ制御装置の電話番号を格納する電話番号格納部及び前記各装置の地震計から得られる地震の震度レベル情報を書き込む地震情報格納部を設けた構成である。
【００１４】
また、別のパケットとしては、情報収集ルーティング情報に基づいて前記代表監視装置を頂点とする階層形式の順序に従って前記代表監視装置及び当該代表監視装置の管理下とする複数のエレベータ制御装置の電話番号を格納する電話番号格納部及び前記各装置の地震計から得られる地震の震度レベル情報を書き込む地震情報格納部を設けた構成であってもよい。
【００１５】
さらに、本発明は、前述するエレベータの遠隔監視システムにおいて、前記情報収集ルーティング情報に規定する順番に従って前記電話番号をダイヤルしたとき、該当する前記エレベータ制御装置との通信回線が確立しないとき、前記パケットの該当エレベータ制御装置のエリアに通信路未確立データを書き込み、次の順位のエレベータ制御装置にパケットを渡す手段を設け、後続のエレベータ制御装置が前記未確立状態にあるエレベータ制御装置に対してパケットの受け渡しを促す構成であってもよい。
【発明の効果】
【００１６】
本発明によれば、遠隔監視センタの監視機能を柔軟に変更でき、よって遠隔監視センタと複数の代表監視装置との間の通信回線の輻輳を回避でき、遠隔監視センタが短時間に地震発生に伴う震度レベル情報等のエレベータの運行状況データを取得し、各エレベータの運行状況を判断できるエレベータの遠隔監視システムを提供できる。
【発明を実施するための最良の形態】
【００１７】
以下、本発明の実施形態について図面を参照して説明する。  
図１は本発明に係るエレベータの遠隔監視システムの一実施の形態を示す全体構成図である。
【００１８】
エレベータの遠隔監視システムは、広域エリアに跨って各建物に設置される複数のエレベータ制御装置１，…と、これらのエレベータ制御装置１,…に関する所要情報，例えば地震検出情報（震度レベル情報等）を収集する複数の監視装置２，…と、当該監視装置２を含む複数のエレベータ制御装置１，…に関する所要情報の収集の順番を定めた情報収集ルーティング情報が登録され、既存のインターネット上のサービス機関から地震情報を受信したとき、複数の監視装置２，…の中から任意に代表と定める監視装置２（代表監視装置２ａ，２ｂ）に対して情報収集ルーティング情報に規定される順番を表す情報を送信する遠隔監視センタ３と、この遠隔監視センタ３から情報収集ルーティング情報に規定される順番を表す情報を最初に受け取り、地震の震度レベル情報を取得して順番を表す情報とともに、当該順番を表す情報に従って自身の管理下にあるエレベータ制御装置１に渡す複数の監視装置２，…の中の任意に代表と定めた１台以上の代表監視装置２ａ，２ｂとで構成される。
【００１９】
各エレベータ制御装置１は、図２に示すように建物内の各エレベータ（図示せず）を運行制御する従来周知の運行制御部１１と、この運行制御部１１内に含まれ、或いは当該運行制御部１１とは別に設けられ、外部から送信されてくる状況要求信号に基づき、少なくとも地震の震度に関する地震検出情報を返送するエレベータ情報通報部１２とを有する。
【００２０】
エレベータ情報通報部１２は、建物の適宜な個所（例えば昇降路内のピット底部、昇降路上部の機械室、昇降路の壁部等）に設置される地震計４の出力信号を取り込む地震信号入力部１３と、ＣＰＵで構成される通報情報処理部１４と、記憶部１５と、通信制御部１６とを備える。
【００２１】
地震信号入力部１３は、地震計４により計測された信号（加速度信号）を通報情報処理部１４で処理可能な地震検出信号に変換する機能をもっている。通報情報処理部１４は、所定周期ごと、または代表監視装置２ａ，２ｂまたはエレベータ制御装置１，…等から状況要求信号を受けたとき、地震信号入力部１３を介して地震計４から取り込んだ地震検出信号に基づき、地震に関する震度のレベルを判別し、地震検出情報として記憶部１５に記憶する。ここで、震度とは、ある場所における地震の揺れの強さであって、加速度（単位はガル（ｇａｌ））で表し、気象庁によれば震度は１０段階で表記されている。
【００２２】
通信制御部１６は、代表監視装置２ａ，２ｂまたは他のエレベータ制御装置１からパケットを伴った状況要求信号を受けたとき、記憶部１５に記憶される地震検出情報を読み出し、パケットの所定エリアに書き込んで返送する機能を有する。
【００２３】
遠隔監視センタ３は、複数の監視装置２，…に電話回線５を介して接続され、内部にパケット生成部３１を有し、かつ、データベース６を備えている。データベース６には、図３に示すように、地震の震度レベルに応じたエレベータの運行状況を判定する運行判定情報格納部６ａと、監視員によるキーボード，マウス（図示せず）の入力操作に基づき、複数の監視装置２，…の中から任意に代表と定められた少なくとも１台以上の代表監視装置２ａ，２ｂ…及び当該各代表監視装置２ａ，２ｂ，…の管理下におく複数のエレベータ制御装置１，…に関する情報収集ルーティング情報を格納する情報収集ルーティング情報格納部６ｂ１〜６ｂｎとが設けられている。
【００２４】
因みに、図３はｎ台の代表監視装置２ａ，２ｂ、…を選定した例であるが、例えば図１に示すように２台の代表監視装置２ａ，２ｂを選定した場合には２つの情報収集ルーティング情報格納部６ｂ１，６ｂ２（６ｂ２は図示せず）が設けられている。
【００２５】
ここで、情報収集ルーティング情報とは、エレベータの運行状況に関する情報，例えば地震検出情報を収集する順番（ルーティング）を規定する情報であって、図４に示すように情報収集の順番、第１宛先となる代表監視装置２ａ→第２宛先となるエレベータ制御装置１→第３宛先となるエレベータ制御装置１→……→第ｎ宛先となるエレベータ制御装置１の順番であり、また、別の第１宛先となる代表監視装置２ｂ→第２宛先となるエレベータ制御装置１→第３宛先となるエレベータ制御装置１→第４宛先となるエレベータ制御装置１の順番に規定されている。
【００２６】
遠隔監視センタ３のパケット生成部３１は、図４に示す情報収集ルーティング情報に規定される情報収集の順番に基づき、第１宛先情報部、第２宛先情報部，…，第ｎ宛先情報部を備えた図５に示す情報収集パケットを生成する。第１宛先情報部には第１宛先となる代表監視装置２ａ（又は２ｂ）の電話番号を格納する電話番号格納部３２−１ａ及び代表監視装置２ａ（又は２ｂ）の地震計９で計測される地震検出情報を格納する地震情報格納部３２−１ｂが設けられている。第２宛先情報部には第２宛先となるエレベータ制御装置１の電話番号を格納する電話番号格納部３２−２ａ及び当該エレベータ制御装置１の地震計４で計測される地震検出情報を格納する地震情報格納部３２−２ｂが設けられている。第３宛先情報部（図示せず），…，第ｎ宛先情報部にも同様に電話番号格納部及び地震情報格納部が設けられている。なお、各電話番号格納部３２−１ａ，３２−２ａ，…，３２-ｎａにはそれぞれ宛先となる各装置の電話番号データが格納される。地震情報格納部部３２−１ｂ，３２−２ｂ，…，３２-ｎｂには情報収集ルーティング情報に規定される情報収集の順番に従って代表監視装置２ａ（又は２ｂ）、エレベータ制御装置１，…にパケットが渡されたときに地震検出情報が格納される。なお、宛先情報部のｎは情報収集時間を考慮して定められる数であり、代表監視装置２ａ（２ｂ）を含むエレベータ制御装置の台数としては例えば１０以下とする。
【００２７】
また、遠隔監視センタ３には、インターネット７を介して地震発生情報提供サービス機関（例えば気象庁等）８が接続されている。地震発生情報提供サービス機関８は、地震発生時、即座にインターネット７を介して広域の地震情報を遠隔監視センタ３に提供する。
【００２８】
遠隔監視センタ３は、地震発生情報提供サービス機関８から受信される地震情報に基づき、代表監視装置２ａ，２ｂごとに直ちに図５に示すような情報収集パケットを生成し、第１宛先情報部の電話番号格納部３２−１ａに格納する電話番号を自動的にダイヤルし、任意に代表と定めた該当する代表監視装置２ａ，２ｂに送信する。
【００２９】
各代表監視装置２ａ，２ｂは、各エレベータ制御装置１，…と電話回線で接続され、各エレベータ制御装置１，…とほぼ同様の構成を有するとともに（図２参照）、それぞれ地震計９を備えている。
【００３０】
次に、以上のように構成されたエレベータの遠隔監視システムの情報収集動作について図６を参照して説明する。
【００３１】
地震が発生すると、地震発生情報提供サービス機関８はインターネット７を介して広域の地震情報を遠隔監視センタ３に提供する。遠隔監視センタ３は、地震情報を受信すると（Ｓ１）、当該地震情報から所定の震度以上のエリアを特定する（Ｓ２）。
【００３２】
遠隔監視センタ３は、データベース６に登録される代表監視装置２ａ，２ｂ，…の中から前述した特定エリアに存在する各エレベータ制御装置１，…を管理する代表監視装置、例えば２ａ，２ｂを選択し、この選択された代表監視装置２ａ，２ｂに対応する情報収集ルーティング情報格納部、例えば６ｂ１，６ｂ２から情報収集ルーティング情報を取り出し、それぞれ個別に情報収集パケットを生成する（Ｓ３）。
【００３３】
そして、各情報収集パケットの第１宛先情報部に格納される電話番号に基づいて自動的にダイヤルし、情報収集パケットを伴う状況要求信号を代表監視装置２ａに送信する（Ｓ４）。
【００３４】
遠隔監視センタ３は、複数の代表監視装置２ａ，２ｂを選択した場合、全部の代表監視装置２ａ，２ｂに情報収集パケットを送信したか否かを判断し（Ｓ５）、未だ送信していない代表監視装置２ｂがあれば、ステップＳ２に移行し、選択された次の代表監視装置２ｂに対応する情報収集ルーティング情報格納部６ｂ２から情報収集ルーティング情報を取り出し、情報収集パケットを生成し（Ｓ３）、次の代表監視装置２ｂに送信する（Ｓ４）。
【００３５】
各代表監視装置２ａ，２ｂは、それぞれ情報収集パケットを伴う状況要求信号を受信すると、それぞれ代表監視装置２ａ，２ｂの記憶部から地震計９の地震検出情報を読み出して情報収集パケットの第１宛先情報部の地震情報格納部３２−１ｂに書き込む。
【００３６】
これら代表監視装置２ａ，２ｂは、第１宛先情報部の地震情報格納部３２−１ｂに地震検出情報を書き込んだ後、情報収集パケットの第２宛先となる第２宛先情報部の電話番号格納部３２−２ａに格納される電話番号にダイヤルし、当該電話番号を持つ第２宛先となるエレベータ制御装置１に情報収集パケットを伴う状況要求信号を送信する（Ｓ６−１、…、Ｓ６−ｎ）。
【００３７】
第２宛先情報部の電話番号を持つ各エレベータ制御装置１は、情報収集パケットを伴う状況要求信号を受信すると、記憶部１５から地震検出情報を読み出して情報収集パケットの第２宛先情報部の地震情報格納部３２−２ｂに書き込んだ後、第３宛先情報部（図示せず）の電話番号格納部に格納する電話番号にダイヤルし、第３宛先となるエレベータ制御装置１に情報収集パケットを伴う状況要求信号を送信する（Ｓ７−１、…、Ｓ７−ｎ）。
【００３８】
以下、情報収集ルーティング情報に規定されるパケットの情報収集の順番に従って管理下にあるエレベータ制御装置１，１，…に順次パケットを送信し、各宛先情報部の地震情報格納部に地震検出情報を書き込んでいく。そして、最後となる第ｎ宛先情報部の電話番号を持つエレベータ制御装置１が第ｎ宛先情報部の地震情報格納部３２−ｎｂに地震検出情報を書き込み終了すると、それぞれ対応する代表監視装置２ａ，２ｂを介して遠隔監視センタ３に送信する（Ｓ８−１、…、Ｓ８−ｎ）。
【００３９】
遠隔監視センタ３は、各宛先情報部の電話番号と地震検出情報とに基づいて、運行判定情報格納部６ａに格納される運行判定情報を参照し、各エレベータの運行状況，例えば一時的な休止状況、人為的な復旧処理必要等の状況を判定し（Ｓ９）、例えばエレベータごとに保守員を派遣するか否かを表示する。
【００４０】
従って、以上のような実施の形態によれば、遠隔監視センタ３は、例えばエレベータ制御装置１，…の台数等を考慮し、複数の監視装置２，…の中から任意の監視装置２を代表監視装置２ａ，２ｂ,…と定めるとともに、これら代表監視装置２ａ，２ｂ,…及び当該代表監視装置２ａ，２ｂ,…ごとに管理下とする各エレベータ制御装置１，…に関する情報収集ルーティング情報を設定し、地震発生時に各代表監視装置２ａ，２ｂ,…ごとに対応する情報収集ルーティング情報に基づいて情報収集パケットを生成し、各代表監視装置２ａ，２ｂ,…に送信するので、ある一部の代表監視装置２ａが故障または停止状態にあっても、他の監視装置２を代表監視装置２ｉと定めるとともに情報収集ルートを変更することにより、エレベータの運行状況に関する情報，例えば地震検出情報を確実に収集でき、柔軟に監視機能を果たすことができる。
【００４１】
また、遠隔監視センタ３は、各代表監視装置２ａ，２ｂ,…に情報収集パケットを送信した後、情報収集順序に従って当該情報収集パケットが返送されてくることを考えれば、各代表監視装置２ａ，２ｂ,…と遠隔監視センタ３との間の電話回線５には輻輳が生じない。
【００４２】
さらに、各代表監視装置２ａ，２ｂ,…は、情報収集パケットに地震検出情報を書き込んだ後、情報収集ルーティング情報に規定される順番に従って順次エレベータ制御装置１，…に情報収集パケットを渡していくので、各代表監視装置２ａ，２ｂ,…の負担も大幅に軽減できる。
【００４３】
さらに、各代表監視装置２ａ，２ｂ,…の管理下にあるエレベータ制御装置１，…の数をほぼ均等にすれば、各代表監視装置２ａ，２ｂ,…と遠隔監視センタ３との間の電話回線５の輻輳が無くなり、確実、かつ、迅速に多数のエレベータ制御装置１，…の地震検出情報を収集できる。よって、各エレベータ制御装置１，…からの地震検出情報に基づいて、早期に保守員を派遣でき、正常復旧までの時間を短縮することができる。
【００４４】
（その他の実施の形態）
（１）  上記実施の形態では、データベース６に格納される情報収集ルーティング情報により、代表監視装置２ａ，２ｂ,…及び当該代表監視装置２ａ，２ｂ,…の管理下にあるエレベータ制御装置１，…の情報収集の順番を図４に示すように直列的に規定したが、例えば情報収集ルーティング情報として、図７に示すように１つの代表監視装置２ａを頂点とし、この代表監視装置２ａから順次階層的に分散させていく情報収集の順番を規定し、情報収集するエレベータ制御装置１，…の数を増やす方法であってもよい。
【００４５】
図８は遠隔監視センタ３のパケット生成手段３１がデータベース６に格納される情報収集ルーティング情報に規定される情報収集の順番に従って生成した情報収集パケットの構成を示す。
【００４６】
この情報収集パケットは、頂点（第１宛先）となる第１宛先情報部には代表監視装置２ａを割当て、第１宛先情報部の電話番号格納部３２−１ａに代表監視装置２ａの電話番号を格納し、第１宛先情報部の地震情報格納部３２−１ｂには代表監視装置２ａの地震計９で計測される地震情報を格納する。この第１宛先情報部の下位には第２階層（第２宛先）となる２つの第２−１宛先情報部及び第２−２宛先情報部が設けられ、それぞれ電話番号格納部３２２−１ａ、３２２−２ａ及び地震情報格納部３２２−１ｂ、３２２−２ｂが設けられ、電話番号格納部３２２−１ａ、３２２−２ａには第２−１宛先となるエレベータ制御装置１，第２-２宛先となるエレベータ装置１の電話番号が格納される。さらに、第２階層の下位となる３階層（第３縦先）には各第２−１宛先情報部及び第２−２宛先情報部からそれぞれ分岐され、第３−１宛先情報部，第３−２宛先情報部が生成され、第３−１宛先及び第３−２宛先となるエレベータ制御装置１，１の電話番号３２３-1ａ、３２３−２ａ及び地震計４の地震検出情報３２３−１ｂ、３２３−２ｂが格納される。
【００４７】
次に、以上のような遠隔監視システムの動作について図９を参照して説明する。  
遠隔監視センタ３は、地震発生情報提供サービス機関８から地震情報を受信すると（Ｓ１１）、当該地震情報から所定の震度以上のエリアを特定する（Ｓ１２）。
【００４８】
遠隔監視センタ３は、データベース６に登録される階層化された頂点となる代表監視装置２ａ，２ｂ、…の中から前述した特定エリアに存在する各エレベータ制御装置１，…を管理する代表監視装置、例えば２ａを選択し、この選択された代表監視装置２ａを頂点とする情報収集ルーティング情報格納部、例えば６ｂ１から情報収集ルーティング情報を取り出し、情報収集パケットを生成する（Ｓ１３）。
【００４９】
そして、遠隔監視センタ３は、各情報収集パケットの第１宛先情報部の電話番号格納部３２−１ａに格納される代表監視装置２ａの電話番号を自動的にダイヤルし、情報収集パケットを伴う状況要求信号を代表監視装置２ａに送信する（Ｓ１４）。
【００５０】
頂点とする代表監視装置２ａは、情報収集パケットを伴う状況要求信号を受信すると、代表監視装置２ａの記憶部から地震計９の地震検出情報を読み出して情報収集パケットの第１宛先情報部の地震情報格納部３２−１ｂに書き込んだ後（Ｓ１５）、第２−１宛先情報部の電話番号格納部３２２−１ａ及び第２−２宛先情報部の電話番号格納部３２２−２ａに格納される電話番号を順次にダイヤルし、当該電話番号を持つエレベータ制御装置１に情報収集パケットを伴う状況要求信号を送信する（Ｓ１６）。
【００５１】
引き続き、２階層の宛先となっている全部のエレベータ制御装置１，１に情報収集パケットを伴う状況要求信号を送信したか否かを判断し（Ｓ１７）、パケット送信終了と判断したときには２階層の宛先となる各エレベータ制御装置１，１に移行する。
【００５２】
２階層となる第２−１宛先のエレベータ制御装置１が代表監視装置２ａから情報収集パケットを伴う状況要求信号を受信すると、自身の記憶部１５から地震計４の地震検出情報を読み出して情報収集パケットの第２−１宛先情報部の地震情報格納部３２２−１ｂに書き込んだ後（Ｓ１８−１）、３階層となる第３−１宛先のエレベータ制御装置１に情報収集パケットを伴う状況要求信号を送信する（Ｓ１９−１）。そして、第３−２宛先のエレベータ制御装置１にも情報収集パケットを伴う状況要求信号を送信したか否かを判断する（Ｓ２０−１）。
【００５３】
そして、情報収集の順番に従って順次下位層にパケットを渡し、最下位となる第ｎ宛先情報部の電話番号を持つエレベータ制御装置１が第ｎ宛先情報部の地震情報格納部３２−ｎｂに地震検出情報を書き込み終了すると、代表監視装置２ａを介して遠隔監視センタ３に送信する（Ｓ２１−１，Ｓ２１−２，…）。
【００５４】
第２階層である第２−２宛先から順次分岐されるエレベータ制御装置１についても、情報収集の順番に従って順次下位層にパケットを渡し、各ステップＳ１８−２〜Ｓ２０−２の処理を実行し、最下位となる第ｎ宛先情報部の電話番号を持つエレベータ制御装置１が第ｎ宛先情報部の地震情報格納部３２−ｎｂに地震検出情報を書き込み終了すると、代表監視装置２ａを介して遠隔監視センタ３に送信する（Ｓ２１−（ｎ−ｉ）〜Ｓ２１−ｎ）。
【００５５】
遠隔監視センタ３は、各宛先情報部の電話番号と地震検出情報とに基づいて、運行判定情報格納部６ａに格納される運行判定情報を参照し、各エレベータの運行状況，例えば一時的な休止状況、人為的な復旧処理必要等の状況を判定し（Ｓ２２）、例えばエレベータごとに保守員を派遣するか否かを表示する。
【００５６】
従って、以上のような実施の形態によれば、代表監視装置２ａを頂点とし、階層形式で順次下位にエレベータ制御装置１を増やしつつパケットを送信し、各パケットに地震検出情報の書き込むことにより、より短時間で情報収集を完了させることが可能である。しかも、予め階層数を制限することにより、遠隔監視センタ３は、比較的短時間に地震検出情報を取得し、代表監視装置２ａを含む各エレベータ制御装置１，…からの地震検出情報に基づいて、早期に保守員を派遣でき、正常復旧までの時間を短縮することができる。
【００５７】
（２）  上記実施の形態では、図１０に示すように、データベース６に格納される情報収集ルーティング情報に規定する順番に情報収集することが原則であるが、例えば電話番号をダイヤルした際に該当エレベータ制御装置１が種々の要因によって通信路を確立できない状態がある。その結果、情報収集ルーティング情報から生成された図５に示す情報収集パケットの順番に従って受け渡しできなくなる。
【００５８】
そこで、この実施の形態では、遠隔監視センタ３は、情報収集ルーティング情報に基づいて情報収集の順序に従って第１宛先情報部、第２宛先情報部、第３宛先情報部、…、第ｎ宛先情報部をもったパケットを生成するが、このとき第２宛先以降の各宛先情報部に電話番番号格納部３２−２ａ、３２−３ａ、…、３２−ｎａ、地震情報格納部３２−２ｂ、３２−３ｂ…、３２−ｎｂの他に、通信路確立有無のフラグを立てる確立有無格納部３２−２ｃ、３２−３ｃ、…、３２−ｎｃを付加し、通信路確立時に「１」、通信路確立未のときに「０」のフラグを立てることにより、後続の宛先となったエレベータ制御装置１が先の宛先となった特定のエレベータ制御装置１にパケットを渡していないことを検出できるようにする。
【００５９】
次に、図１０に示す情報収集パケットを用いて場合の動作について図１１を参照して説明する。
【００６０】
遠隔監視センタ３は、地震発生情報提供サービス機関８から地震情報を受信すると（Ｓ３１）、当該地震情報から所定の震度以上のエリアを特定する（Ｓ３２）。
【００６１】
遠隔監視センタ３は、データベース６に既に登録される代表監視装置２ａ，２ｂ，…の中から前述した特定エリアに存在する各エレベータ制御装置１，…を管理する代表監視装置、例えば２ａを選択し、この選択された代表監視装置２ａに対応する情報収集ルーティング情報格納部、例えば６ｂ１から情報収集ルーティング情報を取り出し、それぞれ個別に情報収集パケットを生成する（Ｓ３３）。
【００６２】
そして、各情報収集パケットの第１宛先情報部に格納される電話番号に基づいて自動的にダイヤルし、情報収集パケットを伴う状況要求信号を代表監視装置２ａに送信する（Ｓ３４）。
【００６３】
代表監視装置２ａは、それぞれ情報収集パケットを伴う状況要求信号を受信すると、それぞれ代表監視装置２ａの記憶部から地震計９の地震検出情報を読み出して情報収集パケットの第１宛先情報部の地震情報格納部３２−１ｂに書き込む（Ｓ３５）。
【００６４】
代表監視装置２ａは、第１宛先情報部の地震情報格納部３２−１ｂに地震検出情報を書き込んだ後、情報収集パケットの第２宛先となる第２宛先情報部の電話番号格納部３２−２ａに格納される電話番号にダイヤルした後（Ｓ３６）、通信回線が確立したか否かを判断する（Ｓ３７）。ここで、通信回線が確立しない場合には確立有無格納部３２−２ｃに「０」を設定した後（Ｓ３８）、第２宛先を飛ばして第３宛先情報部の電話番号格納部３２−３ａに格納する電話番号にダイヤルし（Ｓ３９）、通信回線が確立したか否かを判断する（Ｓ４０）。ここで、通信回線が確立したと判断すると、確立有無格納部３２−３ｃにフラグ「１」を設定する（Ｓ４１）。
【００６５】
一方、ステップＳ３７において、通信回線が確立したと判断した場合には確立有無格納部３２−２ｃに「１」を設定した後（Ｓ４２）、第２宛先のエレベータ制御装置１にパケットを送信し、地震情報格納部３２−２ｂに地震検出情報を書き込んだ後（Ｓ４３）、ステップＳ３９に移行する。
【００６６】
以下、第３宛先となるエレベータ制御装置１と通信回線が確立した後であって第２宛先となるエレベータ制御装置１と通信回線が確立しない場合の対応について説明する。前述したように、ステップＳ４０で第３宛先となるエレベータ制御装置１との間で通信回線が確立し、確立有無格納部３２−２ｃに「１」を設定した後（Ｓ４１）、第３宛先となるエレベータ制御装置１は受け取ったパケットの第３宛先情報部の地震情報格納部３２−３ｂに地震検出情報を書き込んだ後（Ｓ４４）、第４宛先情報部の電話番号格納部の電話番号にダイヤルし（Ｓ４５）、順次後続の宛先にパケットを渡していく。
【００６７】
最後となる第ｎ宛先のエレベータ制御装置１がパケットに地震検出情報を書き込んだ後（Ｓ４６）、第２宛先情報部の確立有無格納部３２−２ｃから第２宛先となるエレベータ制御装置１が通信回線の未確立によって地震検出情報を取得してないことを検出する。
【００６８】
そこで、第ｎ宛先のエレベータ制御装置１は、第２宛先情報部の電話番号格納部３２−２ａの電話番号にダイヤルする（Ｓ４７）。しかる後、第ｎ宛先のエレベータ制御装置１は、通信回線が確立したか否かを判断する（Ｓ４８）。ここで、通信回線が確立したと判断すると、確立有無格納部３２−３ｃにフラグ「１」を設定する（Ｓ４９）。
【００６９】
第２宛先となるエレベータ制御装置１は、第ｎ宛先のエレベータ制御装置１を受け取ると、当該パケットの第２情報部の地震情報格納部３２−２ｂに地震検出情報を格納した後、当該パケットを遠隔監視センタ３に送信する（Ｓ５０）。
【００７０】
遠隔監視センタ３は、各宛先情報部の電話番号と地震検出情報とに基づいて、運行判定情報格納部６ａに格納される運行判定情報を参照し、各エレベータの運行状況，例えば一時的な休止状況、人為的な復旧処理必要等の状況を判定する（Ｓ５１）。
【００７１】
従って、以上のような実施の形態によれば、通信回線の未確立の時にスキップして次の宛先情報部に属するエレベータ制御装置１にパケットを渡し、地震検出情報を書き込ませるので、電話回線及びエレベータ制御装置１に何らかの不具合や通話中にあっても、次にエレベータ制御装置１にパケットを渡して地震検出情報の書き込みが可能となり、迅速に地震検出情報を収集できる。よって、効率的に地震検出情報を収集することが可能となり、ひいては情報収集時間の短縮化を図ることができる。
【００７２】
なお、上記実施の形態は、第ｎ宛先のエレベータ制御装置１が通信回線の未確立の状態を検出するようにしたが、通信回線の未確立が確定した以降の各宛先となるエレベータ制御装置１で第２宛先情報部の電話番号格納部３２−２ａの電話番号にダイヤルし、通信回線が確立した場合にはパケットを渡す構成であってもよい。
【００７３】
（３）  また、遠隔監視センタ３は、地震発生情報提供サービス機関８から地震情報を受けたとき、情報収集パケットを生成するようにしたが、例えば遠隔監視センタ３の監視員がテレビ受像機に表示される地震の震度のレベルを取得し、所定震度レベル以上の地域に属する各代表監視装置２ａ，２ｂ，…を特定し、遠隔監視センタ３に対して情報収集パケットを生成する指示を入力する構成であってもよい。
【００７４】
その他、本発明は、上記実施の形態に限定されるものでなく、その要旨を逸脱しない範囲で種々変形して実施できる。
【図面の簡単な説明】
【００７５】
【図１】本発明に係るエレベータの遠隔監視システムの一実施の形態を示す全体構成図。
【図２】図１に示すエレベータ制御装置及び監視装置の一構成例を示す図。
【図３】図１に示すデータベースに格納されるデータ格納状態を示す図。
【図４】情報収集ルーティグ情報から作成される情報収集の順序を説明する図。
【図５】遠隔監視センタのパケット生成部が図４に示す情報収集の順序に従って生成されるパケットのデータ配置例を示す図。
【図６】図５に示すパケットに基づく地震検出情報の収集動作の流れを説明する図。
【図７】情報収集ルーティグ情報から作成される階層形式で状況情報を収集する情報収集の順序を説明する図。
【図８】遠隔監視センタのパケット生成部が図７に示す情報収集の順序に従って生成されるパケットのデータ配置例を示す図。
【図９】図８に示すパケットに基づく地震検出情報の収集動作の流れを説明する図。
【図１０】遠隔監視センタのパケット生成部で生成される他のパケットのデータ配置例を示す図。
【図１１】図１０に示すパケットに基づく地震検出情報の収集動作の流れを説明する図。
【符号の説明】
【００７６】
１…エレベータ制御装置、２…監視装置、２ａ，２ｂ…代表監視装置、３…遠隔監視センタ、４…地震計、５…電話回線、６…データベース、６ａ…運行判定情報格納部、６ｂ１，…，６ｂｎ…情報収集ルーティング情報格納部、８…地震発生情報提供サービス機関、９…地震計、１１…運行制御部、１２…エレベータ情報通報部、１３…地震信号入力部、１４…通報情報処理部、１５…記憶部、１６…通信制御部、３１…パケット生成部。
【図１】
2008056426.tif 000003
【図２】
2008056426.tif 000004
【図３】
2008056426.tif 000005
【図４】
2008056426.tif 000006
【図５】
2008056426.tif 000007
【図６】
2008056426.tif 000008
【図７】
2008056426.tif 000009
【図８】
2008056426.tif 000010
【図９】
2008056426.tif 000011
【図１０】
2008056426.tif 000012
【図１１】
2008056426.tif 000013